(57)【特許請求の範囲】
【請求項１】
基材上に、区域内が縦横等分に区分された長方形の単位混色区域の各々に、二種類以上の色の微細着色区域が無数に並べて配置されたものが格子状に配置されたことにより構成された混色の着色層が積層されており、前記着色層の所定の部分の、隣接する少なくとも前記着色層を構成する微細着色区域の色の種類よりも少ない種類の前記微細着色区域の表面が、前記基材と傾きを有する傾斜面となっていることにより、前記着色層とは異なる色を表示する表示単位区域を形成しており、前記表示単位区域の集合が表示部を形成し、前記着色層には、前記単位混色区域の縦の長さａおよび横の長さｂに対し、ａ／２を縦の底辺の長さ、ｂ／２を横の底辺の長さとする四角錐の形状を有する凸部、もしくは前記四角錐の逆型形状を有する凹部の集合からなる表示部が形成されており、前記凹部の中心もしくは前記凸部の中心が、（１）前記単位混色区域の中央の位置、（２）前記中央から縦方向にａ／２移動した位置、（３）前記中央から横方向にｂ／２移動した位置、並びに（４）前記中央から縦方向にａ／２、および横方向にｂ／２移動した位置、の少なくともいずれかであることを特徴とする潜像表示体。
【請求項２】
前記（１）〜（４）から選択された異なる位置に、前記凹部もしくは前記凸部の中心がある、異なる二以上の表示部を有することを特徴とする請求項１記載の潜像表示体。
【請求項３】
前記表示部が背景部とパターン部とからなり、前記背景部と前記パターン部とにおける前記凹部もしくは前記凸部の中心が、前記（１）〜（４）の中から選択された異なる位置にあることを特徴とする請求項１記載の潜像表示体。
【請求項４】
重複部を有する二つの表示部の非重複部の前記凹部もしくは前記凸部の位置が、一方の表示部においては、前記重複部における前記凹部もしくは前記凸部の位置に対して縦方向にａ／２移動した位置にあり、他方の表示部においては、前記重複部における前記凹部もしくは前記凸部の位置に対して横方向にｂ／２移動した位置であることを特徴とする請求項２記載の潜像表示体。
【請求項５】
前記表示部が、背景部を有しており、前記背景部の前記凹部もしくは前記凸部の位置が、前記重複部における前記凹部もしくは前記凸部の位置に対して縦方向にａ／２、かつ横方向にｂ／２移動した位置にあることを特徴とする請求項４記載の潜像表示体。
【発明の詳細な説明】
【０００１】
【発明の属する技術分野】
本発明は、通常の状態では見えないが、観察する角度を変えることにより、地色とは異なる色のパターンを見ることができるようになる潜像を有する表示体に関するものである。本発明はまた、上記のパターンが、観察する角度を変えることにより、二種種類以上の異なった色に着色して見える潜像を有する表示体に関するものでもある。
【０００２】
【従来の技術】
観察する角度によって、パターンが見えるようになったり、また、そのパターンが他の色やパターンに切り替わって見えるようにする試みとして、種々のタイプのものが知られている。
例えば、特開平５−１７７７９９号公報には、透明な基材フィルム裏面側に絵柄を印刷し、表面側には、細かい凸部を設け、見る角度により凸部の間から絵柄が見えるようにし、また、凸部もしくは凸部の頂部に着色を施しておき、絵柄が着色して見えるようにした化粧シートが記載されている。
【０００３】
しかしながら、上記の化粧シートにおいては、絵柄は、普通の印刷方法により形成されているので、斜めから眺めて、凸部の間の隙間が見えないときにのみ、絵柄が見えなくなるものであって、通常の状態で正面付近から見れば、絵柄はたやすく見えるものである。また、絵柄の変更には印刷版の取り替えを要する。
着色に関しては、凸部や凸部の間に着色しておくことにより、いわば、着色したすだれ越しに眺めるようにしたものであって、絵柄の着色も擬似的なものである。
【０００４】
また、布地のような生地への表示テープとして、畝（うね、凸条部のこと）を形成して、畝の両面にプリントや色糸で、異なる表示を施したことが特開平１０−２９８８４７号公報に記載されている。
この方法においても、表示を変更しようとすると、プリント用の印刷版をその都度取り替える必要があり、また、凸条部の側面への印刷はむずかしい上、いずれのパターンも通常の状態で見えるものである。
【０００５】
最近、偽造防止の観点から、ホログラムシールがよく利用されており、角度によって見えるパターンが切り替わったり、光の干渉により、種々の色に着色して見える。ホログラムシールは、その製造工程数が多く、製造自体も高度な技術を要することから、自身も高額であり、従って、不正者による偽造の対象となりやすい、クレジットカードや高額商品等に、使用が限られているのが現状である。
また、ホログラムシールのホログラム画像を変更するにも、その都度、ホログラムの撮影、もしくはＣＧホログラムの作製に始まる、一連の工程を経なければならず、対象によっては、より安価で簡易な方法で製造可能なものが望まれている。
【０００６】
【発明が解決しようとする課題】
従って、本発明においては、上記の従来技術において、絵柄が簡単に見えてしまう点、絵柄の着色が擬似的である点を解消すること、および、ホログラムシールにおける製造工程数が多く、製造が困難であることを解消することを課題とするものである。
【０００７】
【課題を解決する手段】
発明者の検討の結果、例えば、正方形を縦横に各々二分して得られる四つの区域の各々を、黄色、赤色、青色、および白色に着色したユニットを、左右上下に多数並べて配置しておき、四角錐状の尖ったエンボス版を用いて、四つの区域の中心に凹部を形成し、適当な角度から観察すると、凹部の壁面の着色状態に応じ、二色が並んでいるときは、その混合色が観察され、場合によって、壁面ごとに異なる色が観察でき、また、凹部を形成しなかった部分では、各ユニットを形成する際の４色の区域が微細であるために、混色が見えることが判明した。
そして、凹部の形成をパターン状に行なうと、直接の着色によりパターンを形成するのではないため、絵柄が適度に隠蔽され、しかも、見る角度によって、二種色以上の変化をも実現できることが判明し、本発明に到達した。
【０００８】
第１の発明は、基材上に、区域内が縦横等分に区分された長方形の単位混色区域の各々に、二種類以上の色の微細着色区域が無数に並べて配置されたものが格子状に配置されたことにより構成された混色の着色層が積層されており、前記着色層の所定の部分の、隣接する少なくとも前記着色層を構成する微細着色区域の色の種類よりも少ない種類の前記微細着色区域の表面が、前記基材と傾きを有する傾斜面となっていることにより、前記着色層とは異なる色を表示する表示単位区域を形成しており、前記表示単位区域の集合が表示部を形成し、前記着色層には、前記単位混色区域の縦の長さａおよび横の長さｂに対し、ａ／２を縦の底辺の長さ、ｂ／２を横の底辺の長さとする四角錐の形状を有する凸部、もしくは前記四角錐の逆型形状を有する凹部の集合からなる表示部が形成されており、前記凹部の中心もしくは前記凸部の中心が、（１）前記単位混色区域の中央の位置、（２）前記中央から縦方向にａ／２移動した位置、（３）前記中央から横方向にｂ／２移動した位置、並びに（４）前記中央から縦方向にａ／２、および横方向にｂ／２移動した位置、の少なくともいずれかであることを特徴とする潜像表示体に関するものである。第２の発明は、第１の発明において、前記（１）〜（４）から選択された異なる位置に、前記凹部もしくは前記凸部の中心がある、異なる二以上の表示部を有することを特徴とする潜像表示体に関するものである。第３の発明は、第１の発明において、前記表示部が背景部とパターン部とからなり、前記背景部と前記パターン部とにおける前記凹部もしくは前記凸部の中心が、前記（１）〜（４）の中から選択された異なる位置にあることを特徴とする潜像表示体に関するものである。第４の発明は、第２の発明において、重複部を有する二つの表示部の非重複部の前記凹部もしくは前記凸部の位置が、一方の表示部においては、前記重複部における前記凹部もしくは前記凸部の位置に対して縦方向にａ／２移動した位置にあり、他方の表示部においては、前記重複部における前記凹部もしくは前記凸部の位置に対して横方向にｂ／２移動した位置であることを特徴とする潜像表示体に関するものである。第５の発明は、第４の発明において、前記表示部が、背景部を有しており、前記背景部の前記凹部もしくは前記凸部の位置が、前記重複部における前記凹部もしくは前記凸部の位置に対して縦方向にａ／２、かつ横方向にｂ／２移動した位置にあることを特徴とする潜像表示体に関するものである。
【０００９】
【発明の実施の形態】
図１は、本発明の表示体の最も簡素な構成を示す図であって、表示体１は、図１（ａ）の下部に示すように、基材２上に着色層３が積層したもので、着色層３は基材２上に平行に積層されていて、着色層３の大部分は平坦であるが、一部の個所が傾斜面４を形成しているものである。
【００１０】
着色層３は、互いに異なる二種類の色の微細着色区域３ａおよび３ｂが、格子状に、同じ色どうしが辺で接することなく、四隅で接して交互に並べられて配置されたものである。なお、本明細書中、色とは、単に色相のみで区別されるものではなく、色相、明度、彩度のいずれか、もしくはこれらの組み合わせにより区別されるものを指す。
図１では、一方の微細着色区域３ａにハッチを施し、他方の微細着色区域３ｂを白地で示してあるが、いずれも着色されているものとする。両区域３ａおよび３ｂは、図上では区別し得るが、実際には、見る距離に比して、両微細着色区域の大きさが充分小さく、観察者には両者の色が混合した混色の着色層として見えるものである。一例として、微細着色区域の大きさは３５０μｍ程度である。
【００１１】
着色層３を形成する微細着色区域３ａおよび３ｂのうち、図中、区域の枠を太線で示した部分は、図１（ａ）の下部に示されるように、基材面とは傾きを持った右上がりの傾斜面４をなしている。この着色層３を真上から見たときは、微細着色区域３ａおよび３ｂの両方が見えるので、混色の着色層の色が見えるが、斜め右上方向６からの照明で、基材面に対して浅い角度の斜め左上方向７から眺めると、図中、白地で示した微細着色区域３ｂの色が優先的に見えるので、周囲の混色の着色層と、色の区別ができる。
【００１２】
従って、このことを利用し、傾斜面４となった微小着色区域３ｂを表示単位５ａとし、この表示単位５ａの集合が、文字やパターンを構成するよう、適宜な位置の微細着色区域３ｂを傾斜面４とすることにより、図１（ｂ）に示すように、表示部５（ここでは三角形である。）を形成することができる。
【００１３】
図１を引用して説明した上記の例においては、異なる二種類の色を用いて、表示部５を形成したが、色としては、三種類、四種類もしくはそれ以上を使用することができる。
【００１４】
図２（ａ）に示すように、着色層３には、互いに異なる三種類の色の微細着色区域（ここでは、分かりやすいように、各区域に色名Ａ、Ｂ、およびＣを付しておき、区域名としてもＡ、Ｂ、およびＣを使用する。）が、各行にＡ、Ｂ、およびＣがこの順に繰返して並べられ、一行目の先頭をＡとすると、二行目の先頭はＢ、三行目の先頭はＣのように、順次、ずれて行くように配置されて、Ａ、Ｂ、およびＣの三色の混色の着色層を構成しているものである。
【００１５】
この例では、第一行目の先頭のＡと、そのＡから三列間をあけた直後のＢおよび続くＣ、さらに三列間をあけた直後のＡ、さらにそのＡから三列間をあけた直後のＢおよび続くＣのようなルールにより、微細着色区域を選び、Ａ単独の部分には右下がりの傾斜面４ｂを、また、同じ行で隣接するＢおよびＣは、一つの右上がりの傾斜面４ａを形成する。
【００１６】
従って、この表示体１を、真上から見たときは、微細着色区域Ａ、Ｂ、およびＣが見えるので、これら三色の混色の色の着色層３が見えるが、傾斜面４ａを表示体１の斜め左上方向７ａから眺めると、傾斜面４ａを構成するＢおよびＣの混色の色が見え、傾斜面４ｂを表示体１の斜め右上方向７ｂから眺めると、傾斜面４ｂを構成するＡの色が見え、いずれも周囲の混色の着色層と、色的に区別されて見える。
従って、この表示体１からは、角度を変えることによりＡの色を有する比較的幅狭の斜めの線の表示部５ｂと、ＢおよびＣの混色の色を有する比較的幅広の斜めの線の表示部５ａとが見える。
このように、一つの表示体１の中に、傾きを異にする傾斜面が混在していると見る角度によって、一方が見えやすくなるので、角度により、異なる表示が可能になる。
【００１７】
図３は、着色層３を、互いに異なる四種類の色の微細着色区域（図２の例にならって、各区域の色名および区域名をＡ、Ｂ、Ｃ、およびＤとする。）で構成した例で、一行目が、先頭からＡ、Ｂ、Ｃ、およびＤ、並びに、以降、これらの順の繰返しからなっており、二行目は、先頭がＣ、次がＤで、以降は、Ａ、Ｂ、Ｃ、およびＤの繰返しである。三行目以降は、奇数行目が一行目と同じ、偶数行目が二行目と同じである。
図３においても、Ａ、Ｂ、ＣおよびＤの四色で、混色の着色層３を構成している。
【００１８】
図３に示す例では、各行における連続するＡ、Ｂ、ＣおよびＤを２サイクル毎に選べ、そのうちＡおよびＢで右上がりの一つの傾斜面を形成し、ＣおよびＤで右下がりの傾斜面を形成している。
従って、この表示体１を、真上から見たときは、微細着色区域Ａ、Ｂ、ＣおよびＤが見えるので、これら四色の混色の色の着色層３が見えるが、傾斜面４ａを表示体１の斜め左上方向７ａから眺めると、傾斜面４ａを構成するＡおよびＢの混色の色の表示５ａが見え、傾斜面４ｂを表示体１の斜め右上方向７ｂから眺めると、傾斜面４ｂを構成するＣおよびＤの混色の色の表示５ｂが見え、いずれも周囲の混色の着色層と、色的に区別されて見える。
従って、この表示体１からは、角度を変えることにより、ＡおよびＢの混色の色を有する斜めの線の表示部と、ＣおよびＤの混色の色を有する斜めの線の表示部とが見え、両者はほぼ同一個所であるので、角度を変えて見ることにより、あたかも、同一の線の色が変化したように見える。
【００１９】
図１〜図３を用いた例においては、着色層３を構成する個々の微細着色区域に対応して傾斜面４を形成した例を示したが、次に説明するように、微細着色区域の境界に凹部もしくは凸部として形成することもできる。
図４および図５は、そのような例を原理的に示したもので、いずれの図においても、基材２上に微細着色区域Ａ、Ｂ、ＣおよびＤが、図３に示したように配列された表示単位に、凹部もしくは凸部を形成した状態を示す。
【００２０】
図４（ａ）においては、田の字状に配列した微細着色区域Ａ、Ｂ、ＣおよびＤの中央に、四角錐の逆型形状の凹部８ａが形成されており、従って、凹部内に、図ではすべてを明示出来ないが、四つの三角形状の斜面が形成されていて、正面の斜面には、微細着色区域Ａの一部と微細着色区域Ｂの一部が互いに等しい面積を占めている。同様に、向かって右側の斜面を、微細着色区域Ｂの一部と微細着色区域Ｄの一部が占め、向かって左側の斜面を、微細着色区域Ｃの一部と微細着色区域Ａの一部が占め、手間側の斜面を微細着色区域Ｄの一部と微細着色区域Ｃの一部が占めている。
【００２１】
図４（ａ）および次の図４（ｂ）に示す表示単位は、見る方向により見える色が異なるが、このことを説明するために、見る方向の呼称のしかたを、図４（ｃ）により次のように定めておく。
即ち、平面の奥側をＮ、手前側をＳ、向かって左側をＷ、向かって右側をＥとし、平面の中心をＮの上方から見る場合の方向をＮ’方向、同様にＳ、Ｗ、およびＥの各々の上方から見る場合の方向をＳ’方向、Ｗ’方向およびＥ’方向と呼称し、これらの間の方向、例えば、ＳとＥの間の上方から見る場合の方向を（ＳＥ）’方向と呼称する。
【００２２】
図４（ａ）に示す凹部８ａをＳ’方向から見ると、斜面がＡとＢの混色の色となって見え、以下、同様に、Ｅ’方向からはＣとＡの混色、Ｎ’方向からはＤとＣの混色、Ｗ’方向からはＢとＤの混色が見える。
【００２３】
図４（ｂ）は、図４（ａ）における四角錐の逆型形状の凹部８ａを、四角錐の形状の凸部８ｂに置き換えたものであって、凸部８ｂの各斜面は、四角錐の逆型形状の凹部８ａを形成した図４（ａ）の凹部８ａの各斜面と同様な作用効果をもたらす。
【００２４】
図５（ａ）は、図４（ａ）における四角錐の逆型形状の凹部８ａを、円錐の逆型形状の凹部９ａに置き換えたものである。
凹部９ａにおいては、四角錐の逆型形状の凹部８ａにおけるように、斜面が平面ではないが、Ｓ’方向、Ｅ’方向、Ｎ’方向、およびＷ’方向から見たときには、四角錐の逆型形状の凹部８ａと同様な混色が見える。
また、（ＳＥ）’方向からはＡの色、（ＳＷ）’方向からはＢの色、（ＮＥ）’方向からはＣの色、および（ＮＷ）’方向からはＤの色が見えるように、いずれの角度から見ても反射光が得られ、潜像の見える範囲が広い。
【００２５】
図５（ｂ）は、図５（ａ）における円錐の逆型形状の凹部９ａを、円錐の形状の凸部９ｂに置き換えたものであって、凸部９ｂの斜面は、円錐の逆型形状の凹部９ａを形成した図５（ａ）の凹部９ａの斜面と同じ作用効果をもたらす。
【００２６】
図４および図５を引用した例においては、微細着色区域の境界に凹部もしくは凸部を形成して傾斜面を形成する例を示したが、凹部および凸部は以上に例示した以外の形状や形成のしかたが有り得る。
【００２７】
凸部の形状としては、底面が正四角形もしくは長方形の四角錐状の凸部、半球状の凸部、三角錐状の凸部、円錐の断面を楕円形としたもの、もしくは円錐を中心を外して高さ方向に切断したものどうしを合せた形状等があり得る。また、凹部の形状としては、これらの凸部の形状に対応する逆型形状のものがあり得る。
半球状の凸部もしくは凹部は、その周囲に傾斜面が幾つあるか表現し難いが、現実的には、四角錐状の凸部もしくは凹部と同様な効果を有するので、一応、四面の傾斜面から構成されるものとみなす。
凸部もしくは凹部を構成する傾斜面の数は、特に限定されるものではないが、通常、二つから四つとする。
なお、径斜面の数が二つである二面の傾斜面とは、上記の「円錐を中心を外して高さ方向に切断したものどうしを合せた形状」のほか、二面の傾斜面からなる切り妻屋根状の凸部もしくはその逆型形状がある。
【００２８】
着色層３については、いままでに例示したいずれの例においても、微細着色区域は縦横の格子で定められた枠内に配置されたものを想定し、図示しているが、一行毎に、列が１／２ピッチずつずれた配置があり得るし、各列毎に同じ色の微細着色区域が配列したストライプ状の着色層も有り得る。また、単位着色区域を四等分し、田の字の左上をＡ、右上をＢ、左下をＣ、および右下をＤとしたとき、Ａ、Ｂ、およびＣを異なる三色として、ＤはＣと同色にしておき、このような単位着色区域が格子状、もしくは列毎に１／２ピッチずつずれた配置となっていてもよい。
なお、着色層３の単位混色区域および微小着色区域は、四角形として説明してきたが、四角形以外の円形等の形状であってもよい。ただし、できるだけ密に形成することが好ましい。
単位混色区域のピッチは、５０〜５００μｍ程度が好ましい。あまり小さいと目で見分けることが困難になるからであり、また、形成もむずかしくなる。大きすぎると、各微細着色区域が分離して見え、混色になって見えない。
凹部の深さもしくは凸部の高さは、効果を挙げる上では、２０μｍ以上であることが好ましい。凹部もしくは凸部の径は、上記の単位混色区域のピッチの１／２ということから、２５〜２５０μｍ程度である。
【００２９】
既に説明した例では、四角錐状の凸部、もしくはその逆型形状の凹部は、凸部もしくは凹部が着色層３と接する部分の四角形の各辺が、微細着色区域の格子の各線と平行に形成されているように図示したが、例えば、四角形の各辺が、格子の各線と４５°等の角度をなして形成されていてもよい。
さらに、上記のように、田の字の左上にＡ、右上にＢ、左下にＣ、および右下にＤが配置されたとき、凹部もしくは凸部を、それらの中心が、ＡとＢの中心になるよう形成してもよいし、各微細着色区域と一致させて凹部もしくは凸部を形成してもよい。
【００３０】
より好ましい、着色層３の微細着色区域の配置、凹部の形成位置、およびこれらを利用した複数の表示、角度を変えることによるパターンの色の変化について次に述べる。
【００３１】
まず、着色層３は、図６（ａ）に示すような微細着色区域Ａ、Ｂ、Ｃ、およびＤが図３におけるのと同様に配置された単位混色区域１０が、縦横の格子状に配置されたものの集合からなっているものとする。この例では単位混色区域１０は正方形で、縦横の寸法がａであり、縦横等分に四つに区分されている。
【００３２】
この着色層３に対して形成する凹部は、図４（ａ）を用いて説明した四角錐の逆型形状からなるもので、四角錐の底面は、縦横共、略ａ／２の寸法を有しているものとする。なお、ここでは四角錐の底面の正四角形の各辺が、着色層３の格子と平行な向きになるよう、凹部を形成する。
凹部を形成する位置は、図６（ｂ）の（イ）に示すように、四角錐８の頂点が単位混色区域の中央にある位置（以降、単に四角錐の頂点の位置で示す。）、（ロ）に示すように、四角錐の頂点が単位混色区域の中央から、図の上方向にａ／２ずれた位置、（ハ）に示すように、四角錐の頂点が単位混色区域の中央から、図の向かって右方向にａ／２ずれた位置、（二）に示すように、四角錐の頂点が単位混色区域の中央から、図の上方向にａ／２、かつ図の向かって右方向にａ／２ずれた位置、の４通りの位置が有り得る。これらの凹部の形成位置は、一つの単位混色区域に関して一つを選ぶものとする。
なお、上記において、上方向を下方向、右方向を左方向と置き換えて定義しても、結果的には同様である。
【００３３】
上記のように、一つの単位混色区域に対し、（イ）〜（ニ）の四通りの凹部の形成位置があり、各々の形成位置に対して、図４（ｃ）に示したように、見る方向が四方向あり、それぞれの色が見える。
例えば、（イ）の形成位置に対して、Ｎ’方向からはＤおよびＣの混色、Ｓ’方向からはＡおよびＢの混色が見え、Ｗ’方向からはＢおよびＤの混色、Ｅ’方向からはＣおよびＡの混色が見える。
（ロ）の形成位置に対して、Ｎ’方向からはＢおよびＡの混色、Ｓ’方向からはＣおよびＤの混色が見え、Ｗ’方向からはＤおよびＢの混色、Ｅ’方向からはＡおよびＣの混色が見える。
（ハ）の形成位置に対して、Ｎ’方向からはＣおよびＤの混色、Ｓ’方向からはＢおよびＡの混色が見え、Ｗ’方向からはＡおよびＣの混色、Ｅ’方向からはＤおよびＢの混色が見える。
（ニ）の形成位置に対して、Ｎ’方向からはＡおよびＢの混色、Ｓ’方向からはＤおよびＣの混色が見え、Ｗ’方向からはＣおよびＡの混色、Ｅ’方向からはＢおよびＤの混色が見える。
【００３４】
以上をまとめると次の「表１」のようになる。
【００３５】
【表１】
0004580584.tif 000002
【００３６】
ここで、仮に、Ａ；黄色、Ｂ；青色、Ｃ；赤色、Ｄ；白色とすると、例えば、Ｓ’方向から見た（イ）のＡとＢの混色は黄緑色、Ｓ’方向から見た（ニ）のＢとＡの混色も黄緑色であるので、「表２」のようになる。
【００３７】
【表２】
0004580584.tif 000003
【００３８】
例えば、あるパターンを（ロ）の位置に形成した凹部の集合で形成し、パターン以外の部分を（イ）の位置に形成した凹部の集合で形成すると、Ｎ’方向からは桃色の背景中に黄緑色のパターンが見え、正反対のＳ’方向からは、黄緑色の背景中に桃色のパターンが見える。ただ、この場合、Ｗ’方向およびＥ’方向からは、背景とパターンの色の違いが無いので、パターンが見えない。
また、パターンを（ハ）の位置に形成した凹部の集合で形成し、パターン以外の部分を（イ）の位置に形成した凹部の集合で形成すると、Ｗ’方向からは水色の背景中に橙色のパターンが見え、正反対のＥ’方向からは、橙色の背景中に水色のパターンが見える。ただ、この場合、Ｎ’方向およびＳ’方向からは、背景とパターンの色の違いが無いので、パターンが見えない。
【００３９】
あるパターンを（二）の位置に形成した凹部の集合で形成し、パターン以外の部分を（イ）の位置に形成した凹部の集合で形成すると、Ｎ’方向からは桃色の背景中に黄緑色のパターンが見え、正反対のＳ’方向からは、黄緑色の背景中に桃色のパターンが見える。さらに、この場合、Ｗ’方向からは、水色の背景中に橙色のパターンが見え、正反対のＥ’方向からは、橙色の背景中に水色のパターンが見える。
【００４０】
上記のように（ニ）の位置に形成した凹部の集合からなるパターンは、（イ）との関係において、Ｎ’方向、Ｓ’方向、Ｗ’方向、およびＥ’方向の四方向から見ることができる。
こことを利用して、あるパターンを（ロ）と（ニ）の位置の凹部とで形成し、背景を（イ）の位置の凹部で形成しておき、Ｎ’方向からは、桃色の背景中に黄緑色のパターンが見え、Ｓ’方向からは、黄緑色の背景中に桃色のパターンが見えるようにし、さらに、上記のパターンとは別のパターンを、（ハ）と（ニ）の位置の凹部とで形成すると、Ｗ’方向からは、水色の背景中に橙色のパターンが見え、正反対のＥ’方向からは、橙色の背景中に水色のパターンが見える。
従って、（イ）を背景とするときは、異なる二つのパターンの重複部の凹部を（ニ）の位置とすることが好ましい。
【００４１】
図７および図８は、背景中に二つのパターンが重複部を有して重なった表示部の作製を示す図である。
【００４２】
図７は、図６（ａ）の右側に示したものと同じ着色層３に、各単位混色区域の中心に四角錐８の中心を合わせた状態を示す。図６（ｂ）の（イ）に相当する位置である。一応、各単位混色区域の中心を、標準的な位置であるとする。
【００４３】
図６（ａ）に示す着色層３に、図６（ｂ）に、ハート形に線１１で囲み、かつ黒丸を付した個所において、このハート形を表示するために凹部を形成すべき位置を、上記の標準的な位置から、四角錐の寸法ａに対しａ／２だけ、上方にずらし、図６（ｂ）の（ロ）に相当する位置に移動させる。移動後の状態を図８（ａ）に示す。このハート形を第１のパターンとする。
【００４４】
ここで、ハート形とほぼ大きさの等しい英文字「Ｈ」（ただし、９０°回転させたものとする。）を第２のパターンとし、図８（ａ）中に線１３で囲み、かつ黒丸を付した個所において、凹部を形成すべき位置を、四角錐の寸法ａに対しａ／２だけ、右方にずらし、図８（ｂ）の状態にする。
このとき、ハート形を表示する目的でずらした凹部を形成すべき位置は、最終的には、図６（ｂ）の（ニ）の位置になり、今回、初めてずらされた凹部の位置は、（ハ）の位置になる。また、先にハート形を表示する目的でずらしたが、今回はずらさなかった凹部の位置は、（ロ）のままである。
【００４５】
図９に、以上のプロセスにより決定し、形成した凹部を塗り分けて示す。
図９中に示した（イ）〜（ニ）は、見る方向により、「表２」に示したような色が見えるものであるので、例えば、Ｎ’方向から見るとき、（イ）と（ハ）が桃色、（ロ）と（ニ）が黄緑色であり、Ｓ’方向から見るとき、（イ）と（ハ）が黄緑色、（ロ）と（ニ）が桃色のようにちょうど反転し、図１０（ａ）（ｂ）に模式的に示すように、Ｎ’方向からも、Ｓ’方向からも、ハート形の形状が見える。
また、図９中の（イ）〜（ニ）は、Ｗ’方向から見るとき、（イ）と（ロ）が水色、（ハ）と（ニ）が橙色であり、Ｅ’方向から見るとき、（イ）と（ロ）が橙色、（ハ）と（ニ）が水色のように、やはり反転し、図１０（ｃ）（ｄ）に模式的に示すように、Ｗ’方向からも、Ｅ’方向からも、９０°回転したＨの字の形状が見える。
【００４６】
より好ましい、着色層３の微細着色区域の配置、凹部の形成位置、およびこれらを利用した複数の表示、角度を変えることによるパターンの色の変化について説明したが、上記の例においても、なお、種々の変形態様をとることができる。
【００４７】
上記の例では、単位混色区域を構成する微細着色区域を、白も含めて全て異なる色としたが、Ａ、Ｂ、Ｃ、およびＤを順に、赤色、赤色、赤色、および白色としてもよく、この場合、潜像は、赤色もしくは桃色で表現されて見える。なお、白色の微細着色区域は、白色の基材の表面を利用したものであってもよい。
あるいは、Ａ、Ｂ、Ｃ、およびＤを順に、黄色、青色、赤色、および赤色としてもよく、潜像は、緑色、赤色、紫色、もしくは橙色で表現されて見える。
着色層は、通常、一様に形成するが、意匠的な都合で、着色層の半分を異なる混色にする等のバリエーションを行なってもよい。
【００４８】
潜像を凹部や凸部で形成するとき、背景を設ける必要は必ずしも無いが、背景なしで、パターンを形成すると、パターンの外形が目立ってしまうこともあり得るので、背景も含めて凹部や凸部を形成し、背景も含めた凹部もしくは凸部の形成部分の外形が特に意味を持たないようにすることが好ましい。
背景の部分においても、パターンの部分においても、凹部もしくは凸部における色は同じであるから、正面から見ただけでは、特定の凹部もしくは凸部が、いずれを形成しているかは分かりにくい。
【００４９】
本発明の潜像表示体は、紙、プラスチック、もしくは金属箔等の任意の素材のシートもしくは板状のもの、またはそれらの任意の組み合わせからなる複合体の基材の表面の一部もしくは全部に形成することができる。
基本的には、基材上に微細着色区域からなる混色の着色層を形成し、着色層上から、先端が凸部もしくは凹部となった型を用い、基材ごとＸ−Ｙテーブル上で移動させつつ刻印するか、同じ物を多量に作る場合には、必要な面積に必要な数の凸部もしくは凹部を形成した型板を形成しておいて、押し付けることにより形成することができる。
【００５０】
着色層は、通常のインキを用い、オフセット等の通常の印刷方式により形成することができる。着色層はその形成の際に精密さを要し、概ね小さい面積であるので、昇華転写等の転写法で形成してもよい。
また、着色層上には、透明な保護層を形成しておいて、摩耗を防止することができる。
【００５１】
なお、基材には、用途に応じて、任意な印刷等の装飾を施しておいてよい。また、印刷を着色層上に、潜像を表示する部分のカモフラージュのために行なってもよい。
【００５２】
本発明の潜像表示体は、以上に説明したような構造を持ち、正面からは確認できないが、角度を付けて見ることにより、潜像が背景と異なる色を呈するため、見えるようになり、確認のために特別な判定器具、判定機器を要しない特徴がある。
また、本発明の潜像表示体は、着色の構造に加えて、凹部もしくは凸部を特定の形状で、特定の位置に形成してあるものであるため、カラーコピー機やカラースキャナー等の光学的な手段のみでは不正な意図による複製が困難である。
なお、微細着色区域の色の一部もしくは全部を、可視領域以外での反射もしくは吸収を持つもので形成しておくことにより、外観的な確認のみならず、赤外領域もしくは紫外領域に感度を持つセンサーを用いての確認を行なうことも可能である。
【００５３】
本発明の潜像表示体は、不正な意図での偽装や変造が行なわれる可能性のある次のような種々の用途に、それらを構成する基材を潜像表示体の基材として、適用するか、もしくはそれらの基材に潜像表示体を貼り付ける等により適用することができる。種々の用途としては、次の様なものがある；
紙幣、商品券、株券、もしくは証券等。
運転免許証、パスポート、カード型の証書、例えば、防火、消毒もしくは防火等の保安、衛生上の資格、もしくは等級を示すもの等。
乗車券、乗船券、航空券等。
宝くじや各種のくじ、競馬・競輪等の勝馬投票券・車券等、各種催事の入場券等。
金融機関の取引明細や各種証明用途で使用されるジャーナル（例；銀行カードでの取引の際に発光される明細書）等。
値札や種別の表示用タグやラベル等。
各種パッケージ、包装紙、紙器等。
【００５４】
第１の発明によれば、四つに区分された単位混色区域の各々に微細着色区域を形成して、着色層を形成し、各単位混色区域に定められた四つの凹部もしくは凸部の形成可能な位置を選んで、凹部もしくは凸部を形成して潜像を形成するので、位置の選択により有する潜像の色や見える角度を変えることが可能な潜像表示体を提供することができる。第２の発明によれば、第１の発明の効果に加え、見える色や見える角度をパターンごとに変えた二つの潜像を有する潜像表示体を提供することができる。第３の発明によれば、第１の発明の効果に加え、パターン、および背景の各々を異なる色、異なる見える角度とした、潜像表示体を提供することができる。第４の発明によれば、第２の発明の効果に加え、互いに重複部を有する二つのパターンを、角度を変えたときに各々が重複部で損なわれることなく見える、潜像表示体を提供することができる。第５の発明によれば、第４の発明の効果に加え、背景を有しており、二つのパターンのいずれを見る際にも、角度により、背景とパターンとが異なる色で見えるため、それぞれのパターンの視認性を損なわない、潜像表示体を提供することができる。
【図面の簡単な説明】
【図１】着色層が二色の混色である潜像表示体の図である。
【図２】着色層が三色の混色である潜像表示体の図である。
【図３】着色層が四色の混色である潜像表示体の図である。
【図４】四角錐状の凸部もしくは凹部を示す図である。
【図５】円錐状の凸部もしくは凹部を示す図である。
【図６】好ましい着色層と凹部の形成位置を示す図である。
【図７】二つのパターンのうち、第１のパターンの形成を示す図である。
【図８】二つのパターンのうち、第２のパターンの形成を示す図である。
【図９】二つのパターンを形成した際の凹部もしくは凸部の位置を示す図である。
【図１０】二つのパターンの見え方を示す図である。
【符号の説明】
１      潜像表示体
２      基材
３      着色層
４      傾斜面
５      表示部（５ａ；表示単位）
８、９    凹部もしくは凸部
１０    単位混色区域
【図１】
0004580584.tif 000004
【図２】
0004580584.tif 000005
【図３】
0004580584.tif 000006
【図４】
0004580584.tif 000007
【図５】
0004580584.tif 000008
【図６】
0004580584.tif 000009
【図７】
0004580584.tif 000010
【図８】
0004580584.tif 000011
【図９】
0004580584.tif 000012
【図１０】
0004580584.tif 000013